(57)【要約】  化学機械研磨装置は、研磨パッドを支持するためのプラテンを含み、このプラテンは、凹部と、凹部内の可撓性膜と、信号を生成するためのインシトゥ振動モニタリングシステムとを有する。インシトゥ音響モニタシステムは、可撓性膜によって支持され、かつ研磨パッドの下面に連結するよう配置された、振動センサを含む。【選択図】図１
2021517073.tif 000002
【特許請求の範囲】
【請求項１】
化学機械研磨装置であって、
研磨パッドを支持するためのプラテンであって、凹部を有するプラテンと、
前記凹部内の可撓性膜と、
信号を生成するためのインシトゥ振動モニタリングシステムであって、前記可撓性膜によって支持されかつ前記研磨パッドの下面に連結するよう配置された振動センサを含む、インシトゥ振動モニタリングシステムとを備える、装置。
【請求項２】
研磨層及びバッキング層を有する前記研磨パッドを備える、請求項１に記載の装置。
【請求項３】
前記バッキング層に開孔を備え、前記振動センサは、前記研磨層の下面に直接接触する、請求項２に記載の装置。
【請求項４】
前記研磨パッドが、パッドの一部分であって、前記パッドの一部分よりも軟性の材料によって前記研磨パッドの残部に連結されている、パッドの一部分を備える、請求項２に記載の装置。
【請求項５】
前記材料が前記パッドの一部分を横方向に完全に取り囲む、請求項４に記載の装置。
【請求項６】
前記研磨パッドの前記一部分と前記研磨パッドの前記残部とが、同じ材料組成を有する、請求項４に記載の装置。
【請求項７】
前記研磨層は溝を有し、前記溝の底部に前記材料が配置される、請求項４に記載の装置。
【請求項８】
前記可撓性膜の下の空間が加圧可能である、請求項１に記載の装置。
【請求項９】
前記可撓性膜が膨張可能なバルーンを提供する、請求項８に記載の装置。
【請求項１０】
前記可撓性膜は、前記可撓性膜の下の前記空間を密封するよう、前記凹部の端から端まで延在する、請求項８に記載の装置。
【請求項１１】
前記空間を加圧し、かつ前記振動センサを付勢して前記研磨パッドと接触させるためのポンプを備える、請求項８に記載の装置。
【請求項１２】
前記振動センサから信号を受信し、かつ研磨終点を検出するよう構成されたコントローラを備える、請求項１に記載の装置。
【請求項１３】
コントローラが、下層の露出を検出するよう構成される、請求項１に記載の装置。
【請求項１４】
研磨する方法であって、
基板を研磨パッドと接触させることと、
前記基板と前記研磨パッドとの間に相対運動を発生させることと、
振動センサの下のチャンバを加圧することによって、前記振動センサを付勢して前記研磨パッドの下面と接触させることと、
前記センサを使用して基板を音響的にモニタすることとを含む、方法。
【請求項１５】
前記センサからの信号に基づいて下層の露出を検出することを含む、請求項１４に記載の方法。
【発明の詳細な説明】
【技術分野】
【０００１】
［０００１］この開示は、化学機械研磨のインシトゥ（その場）のモニタリングに関する。
【背景技術】
【０００２】
［０００２］集積回路は、典型的には、シリコンウエハ上に導電層、半導電層、又は絶縁層を順次堆積させることによって、基板上に形成される。製造ステップの１つは、非平面の表面の上に充填層を堆積させることと、この充填層を平坦化することとを伴う。特定の応用では、充填層が、パターニングされた層の上面が露出するまで平坦化される。例えば、導電性充填層が、パターニングされた絶縁層上に堆積されて、絶縁層のトレンチ又は穴を充填しうる。平坦化の後に、絶縁層の隆起パターンの間に残っている金属層の部分が、基板上の薄膜回路間の導電経路を提供するビア、プラグ、及びラインを形成する。他の応用（酸化物研磨など）では、充填層は、非平面の表面の上に所定の厚さが残されるまで平坦化される。加えて、フォトリソグラフィーでは、通常、基板表面の平坦化が必要になる。
【０００３】
［０００３］化学機械研磨（ＣＭＰ）は、認知されている一平坦化方法である。この平坦化方法では、典型的には、基板がキャリア又は研磨ヘッドに装着されることが必要になる。基板の露出表面は、典型的には、回転する研磨パッドに当接して配置される。キャリアヘッドは、基板に制御可能な荷重を提供して、基板を研磨パッドに押し付ける。典型的には、研磨パッドの表面に砥粒研磨スラリが供給される。
【０００４】
［０００４］ＣＭＰにおける問題の１つは、研磨プロセスが完了したかどうか（すなわち、基板層が望ましい平坦度若しくは厚さに平坦化されたかどうか）、又は、望ましい量の材料がいつ除去されたのかを、判定することである。スラリ分布、研磨パッド状態、研磨パッドと基板との間の相対スピード、及び基板に対する荷重におけるばらつきは、材料除去速度のばらつきを引き起こしうる。これらのばらつきのみならず、基板層の初期厚さのばらつきも、研磨終点に到達するのに必要な時間のばらつきを引き起こす。したがって、研磨終点は通常、単に研磨時間の関数として決定可能ではない。
【０００５】
［０００５］一部のシステムでは、基板は、例えばプラテン又はキャリアヘッドを回転させるためにモータが必要とするトルクをモニタすることによって、研磨中にインシトゥでモニタされる。研磨の音響モニタリングも提案されてきた。しかし、既存のモニタリング技法は、増大しつつある半導体デバイス製造業者の要求を満たさない可能性がある。
【発明の概要】
【０００６】
［０００６］上述したように、化学機械研磨の音響モニタリングが提案されてきた。センサと、プラテンに対して可動な研磨パッドの一部分との両方を設けることによって、センサは、この部分に選択的に局所化された振動挙動を獲得しうる。
【０００７】
［０００７］一態様では、化学機械研磨装置は、研磨パッドを支持するためのプラテンを含み、このプラテンは、凹部と、凹部内の可撓性膜と、信号を生成するためのインシトゥ振動モニタリングシステムとを有する。インシトゥ音響モニタシステムは、可撓性膜によって支持され、かつ研磨パッドの下面に連結するよう配置された、振動センサを含む。
【０００８】
［０００８］実行形態は、以下の特徴のうちの一又は複数を含みうる。
【０００９】
［０００９］研磨パッドは、研磨層及びバッキング層を有しうる。バッキング層には開孔があってよく、振動センサは、研磨層の下面に直接接触しうる。研磨パッドは、パッドの一部分であって、パッドのこの部分よりも軟性の材料によって研磨パッドの残部に連結されている、パッドの一部分を有しうる。この材料は、パッドのこの部分を、横方向に完全に取り囲みうる。研磨パッドと研磨パッドの残部は、同じ材料組成を有しうる。研磨層は溝を有することがあり、材料はこれらの溝の底部に配置されうる。
【００１０】
［００１０］可撓性膜の下の空間は、加圧可能でありうる。可撓性膜は、膨張可能なバルーンを提供しうる。可撓性膜は、可撓性膜の下の空間を密封するよう、凹部の端から端まで延在しうる。ポンプが空間を加圧し、かつ、振動センサを付勢して研磨パッドに接触させうる。
【００１１】
［００１１］コントローラは、振動センサから信号を受信し、かつ研磨終点を検出するよう構成されうる。コントローラは、下層の露出を検出するよう構成されうる。
【００１２】
［００１２］実行形態は、以下の実現可能性のある利点のうちの一又は複数を含みうる。音響センサ又は振動センサは、より強い信号を有しうる。下層の露出がより確実に検出されうる。研磨のより確実な停止が可能になり、ウエハ間均一性が向上しうる。
【００１３】
［００１３］一又は複数の実施形態の詳細について、添付の図面及び以下の説明に明記する。その他の態様、特徴、及び利点も、説明及び図面から、並びに特許請求の範囲から、自明となろう。
【図面の簡単な説明】
【００１４】
【図１】［００１４］研磨装置の一例の概略断面図を示す。
【図２】［００１５］研磨パッドの一部分と係合している振動モニタリングセンサの概略断面図を示す。
【図３】［００１６］振動モニタリングセンサを有するプラテンの概略上面図を示す。
【発明を実施するための形態】
【００１５】
［００１７］様々な図面における類似の参照記号は、類似の要素を示している。
【００１６】
［００１８］一般に、化学機械研磨において、材料除去プロセスは、研磨パッドと基板との間の連続的なスティックスリップ動作（ｓｔｉｃｋ／ｓｌｉｐ  ａｃｔｉｏｎ）を伴うことがある。このスティックスリップ動作は、プロセス条件及び研磨されている材料に応じて、特有の振動特性（例えば周波数又は振幅）を発生させるはずである。一部の半導体チップ製造プロセスでは、上にある層（金属、酸化ケイ素、又はポリシリコンなど）は、下にある層（酸化ケイ素、窒化ケイ素、又は高誘電率誘電体などといった誘電体）が露出するまで研磨される。下層が露出すると、研磨パッドと基板との間のスティックスリップ動作が変化し、ひいては、研磨パッドにおける振動（例えば、振動の周波数スペクトル）も変化する。研磨終点は、この振動の変化を検出することによって決定されうる。
【００１７】
［００１９］モニタされるべき振動は、連続的なスティックスリップ動作の一部として、研磨パッドが引き伸ばされ、解放される時に生じうる。かかる振動は、単に研磨パッドと基板との摩擦によって生じたノイズ（時に音響信号と称されることもある）と必ずしも同じというわけではなく、他の摩擦ノイズとは異なる周波数範囲で発生しうる。
【００１８】
［００２０］しかし、音響モニタリングに関する潜在的な問題は、振動の減衰である。詳細には、研磨パッドが（例えば接着剤によって）プラテンに固定されていると、このことが、研磨パッドの振動を減衰させる傾向がある。ゆえに、信号を良好に伝達するよう構成された研磨パッドを有し、かつ、低信号減衰の位置にセンサを有することができれば、それが有利である。
【００１９】
［００２１］図１は、研磨装置１００の一例を示している。研磨装置１００は、回転可能なディスク形状のプラテン１２０を含み、このプラテン上に研磨パッド１１０が置かれている。プラテンは、軸１２５を中心として回転するよう動作可能である。例えば、モータ１２１（例えばＤＣ誘導モータ）が、駆動シャフト１２４を回して、プラテン１２０を回転させうる。
【００２０】
［００２２］研磨パッド１１０は、外側研磨層１１２と、より軟性のバッキング層１１４とを有する、二層研磨パッドでありうる。一部の実行形態では、研磨パッド１１０の研磨層１１２の上面に、スラリを搬送する複数の溝１１６（図２参照）が形成される。溝１１６は、研磨層１１２の厚さを部分的に通るが貫通はせずに延在する。
【００２１】
［００２３］研磨装置１００は、研磨液１３２（砥粒スラリなど）を研磨パッド１１０上に供給するための、ポート１３０を含みうる。研磨装置は、研磨パッド１１０をばらつきのない砥粒状態を維持するために研磨パッド１１０を研磨する、研磨パッドコンディショナも含みうる。
【００２２】
［００２４］研磨装置１００は、少なくとも１つのキャリアヘッド１４０を含む。キャリアヘッド１４０は、基板１０を研磨パッド１１０に当接させて保持するよう動作可能である。各キャリアヘッド１４０は、それぞれの基板に関連する研磨パラメータ（例えば圧力）の個別制御を有しうる。
【００２３】
［００２５］キャリアヘッド１４０は、基板１０を可撓性膜１４４の下に保持するための、保持リング１４２を含みうる。キャリアヘッド１４０は、膜によって画定された、個別に制御可能な一又は複数の加圧可能チャンバ（例えば３つのチャンバ１４６ａ〜１４６ｃ）も含む。これらのチャンバは、可撓性膜１４４の（ひいては基板１０上の）関連ゾーンに、個別に制御可能な圧力を印加しうる。説明を容易にするために、図１には３つのチャンバのみが示されているが、１つ若しくは２つのチャンバ、又は４つ以上のチャンバ（例えば５つのチャンバ）があってもよい。
【００２４】
［００２６］キャリアヘッド１４０は、支持構造物１５０（例えばカルーセル又は軌道）から懸架され、かつ、駆動シャフト１５２によってキャリアヘッド回転モータ１５４（例えばＤＣ誘導モータ）に接続される。これにより、キャリアヘッドは軸１５５を中心に回転しうる。各キャリアヘッド１４０は、オプションで、例えば、カルーセル１５０のスライダに沿って、カルーセル自体の回転往復運動（ｏｓｃｉｌｌａｔｉｏｎ）によって、又はトラックに沿って摺動することによって、横方向に往復しうる。典型的な動作においては、プラテンはその中心軸１２５を中心に回転し、各キャリアヘッドは、その中心軸１５５を中心に回転し、かつ研磨パッドの上面で端から端まで、横方向に平行移動する。
【００２５】
［００２７］１つのキャリアヘッド１４０のみが図示されているが、更なる基板を保持するためにより多くのキャリアヘッドが設けられてよく、これにより、研磨パッド１１０の表面積が効率的に使用されうる。
【００２６】
［００２８］コントローラ１９０（プログラマブルコンピュータなど）が、モータ１２１、１５４に接続されて、プラテン１２０及びキャリアヘッド１４０の回転速度を制御する。例えば、各モータは、関連する駆動シャフトの回転速度を測定するエンコーダを含みうる。フィードバック制御回路（モータ自体、コントローラの一部、又は別個の回路の中にありうる）が、測定された回転速度をエンコーダから受信し、駆動シャフトの回転速度がコントローラから受信した回転速度に確実に一致するよう、モータに供給される電流を調整する。
【００２７】
［００２９］研磨装置１００は、少なくとも１つの、インシトゥパッド振動モニタリングシステム１６０を含む。インシトゥパッド振動モニタシステム１６０は、一又は複数の振動センサ１６２を含む。各振動センサ１６２は、プラテン１２０の上側の一又は複数の場所に設置されうる。詳細には、インシトゥ音響モニタリングシステムは、基板１０の材料が変形させられた時に応力エネルギーによって引き起こされる、音響放出を検出するよう構成されうる。
【００２８】
［００３０］プラテン１２０の角位置を感知するために、位置センサ（例えば、プラテンのリムに接続された光インタラプタ、又はロータリエンコーダ）が使用されうる。これにより、信号の、センサ１６２が基板に近接している時（例えば、センサ１６２がキャリアヘッド又は基板の下にある時）に測定され部分だけが、終点検出に使用されることが可能になる。
【００２９】
［００３１］図１及び図２に示している実行形態では、振動センサ１６２は、プラテン１２０の凹部１６４の中又は上に配置され、かつ、研磨パッド１１０の下面に接触している。一部の実行形態では、バッキング層１１４に開孔１１８が形成され、振動センサ１６２は、研磨層１１２の下面に直接接触している。
【００３０】
［００３２］センサ１６２は、回路１６８によって、回転連結（例えば水銀スリップリング）を通じて、電力供給源及び／又はその他の信号処理電子機器１６６に接続されうる。信号処理電子機器１６６は、次いでコントローラ１９０に接続されうる。センサ１６２からの信号は、内蔵された内部増幅器によって増幅されうる。センサ１６２からの信号は次いで、（例えば電子機器１６６内の）高速データ取得ボードに至るまでに、必要であれば更に増幅され、フィルタリングされ、かつＡ／Ｄポートを通じてデジタル化されうる。センサ１６２からのデータは、１〜３Ｍｈｚで記録されうる。
【００３１】
［００３３］振動センサ１６２は、凹部１６４内に配置された可撓性かつ膨張可能な膜１７０によって支持されうる。一部の実行形態では、膜１７０は、凹部１６４の底部と振動センサ１６２との間にバルーン様構造物１７２を形成する。あるいは、膜１７０は、単に凹部１６４の一部分に伸縮するように張り渡されて、膜１７０の上面の下に加圧可能な空間を形成しうる。
【００３２】
［００３４］膜１７０の下又は内部の空間を加圧することで、センサ１６２が付勢されて、研磨パッド１１０と接触することになりうる。その一方で、可撓性膜（例えばバルーン様構造物）は、センサ１６２が、３つの軸（研磨パッドの表面に平行な２つの軸と、研磨パッドの表面に対して垂直な１つの軸）の全てにおいて、プラテン１２０から有効に切り離されることを可能にする。これにより、センサ１６２は、プラテン１２０の構造的影響によって妨げられることなく、動作することが可能になる。
【００３３】
［００３５］加えて、図２及び図３を参照するに、研磨パッド１１０の、センサ１６２と接触する部分１８０は、より軟性の材料１８２によって、研磨パッドの残部から振動的に隔離されうる。これにより、センサ１６２に当接した（ａｔｔａｃｈｅｄ）パッドの一部分１８０を、研磨パッド１１０の残部に対して平行移動させることが可能になる。ゆえに、センサ１６２は、研磨パッド１１０の残部（例えば、研磨パッドとプラテンと当接部）の構造的剛性によって妨げられることなく、作動することが可能になる。より軟性の材料１８２は、部分１８０を完全に取り囲みうる。パッドの一部分１８０は、円形や長方形などであってよい。パッドの一部分１８０は、研磨層１１２の残部と同じ材料のものである。
【００３４】
［００３６］図２は、溝１１６の底部に配置された軟質材料１８２を示しているが、これが必要というわけではない。軟質材料１８２は、研磨層１１２の全厚の領域内に配置されてよく、バッキング層１１４を通って延在することも可能である（例えば図１参照）。
【００３５】
［００３７］振動センサ１６２は、プラテン１２０の中心（例えば、回転軸１２５のところ）にも、プラテン１２０の縁エッジにも、又は中間点（例えば、直径２０インチのプラテンの回転軸から５インチのところ）にも、配置されうる。
【００３６】
［００３８］図１を再度参照するに、研磨パッドの一部分１８０が基板１０の下で回転するにつれ、この部分１８０と基板１０との間のスティックスリップ動作により、特定の振動特性が生じる。しかし、部分１８０及びセンサ１６２は研磨パッド１１０及びプラテン１２０の残部から独立しているので、センサは、パッドの一部分１８０から選択的に振動挙動を獲得しうる。
【００３７】
［００３９］一部の実行形態では、凹部１６４内にガスが導入されうる。例えば、圧力源１８０（例えばポンプ又はガス供給ライン）から、プラテン１２０内の配管及び／又は通路によって提供される導管１８２を通って凹部１６４内に、ガス（例えば空気又は窒素）が導入されうる。出口ポート１８４が、凹部１６４と外部環境とを接続し、凹部１６４からのガスの排出を可能にしうる。ガス流は、凹部１６４内へのスラリの漏れを低減しかつ／又は凹部１６４内に漏れたスラリを出口ポート１８４を通じてパージ排出して、電子機器又はその他の構成要素の損傷とセンサ１６２の汚染の可能性を低減するために、凹部１６４を加圧しうる。
【００３８】
［００４０］センサ１６２からの信号には、終点検出又はフィードバック制御若しくはフィードフォワード制御のいずれかのために、例えばコントローラ１９０において、例えば増幅、予備フィルタリング、及びデジタル化の後に、データ処理が行われうる。
【００３９】
［００４１］一部の実行形態では、信号の周波数解析が実施される。例えば、周波数スペクトラムを生成するために、信号に高速フーリエ変換（ＦＦＴ）が実施されうる。特定の周波数帯域がモニタされてよく、この周波数帯域における強度が閾値を超えた場合、それは下層の露出を示すことがあり、このことが、終点をトリガするために使用されうる。あるいは、選択された周波数範囲における局所的な最大値又は最小値の幅が閾値を超えた場合、それは下層の露出を示すことがあり、このことが、終点をトリガするために使用されうる。
【００４０】
［００４２］別の例としては、信号を低周波成分と高周波成分とに分解するために、信号にウェーブレットパケット変換（ＷＰＴ）が実施されうる。この分解は、信号をより細かい成分に分割するために必要であれば、繰り返されうる。周波数成分のうちの１つの強度がモニタされてよく、この成分の強度が閾値を超えた場合、それは下層の露出を示すことがあり、このことが、終点をトリガするために使用されうる。
【００４１】
［００４３］デバイス基板は、例えば閾値が実験的に決定された後に、研磨されうる。デバイス基板が研磨ステーションで研磨され、振動信号が、インシトゥ振動モニタシステムから収集される。
【００４２】
［００４４］下層の露出を検出するために、信号がモニタされる。例えば、特定の周波数範囲がモニタされてよく、その強度がモニタされ、かつ閾値と比較されうる。
【００４３】
［００４５］研磨終点が検出されると研磨の停止がトリガされるが、終点のトリガの後も、研磨は所定の時間量にわたって継続しうる。代替的又は追加的には、収集済みデータ及び／又は終点検出時点は、後続の処理動作（例えば後続のステーションでの研磨）における基板の処理を制御するためにフィードフォワードされうるか、又は、同じ研磨ステーションでの後続基板の処理を制御するためにフィードバックされうる。
【００４４】
［００４６］この明細書に記載されている実行形態及び全ての機能的動作は、デジタル電子回路において、コンピュータソフトウェア、ファームウェア、若しくはハードウェア（この明細書で開示されている構造的手段及びその構造的等価物を含む）において、又はこれらの組合せにおいて、実装されうる。本書に記載の実行形態は、データ処理装置（例えばプログラマブルプロセッサ、コンピュータ、又は複数のプロセッサ若しくはコンピュータ）によって実行されるため、又はかかるデータ処理装置の動作を制御するための、一又は複数の非一時的なコンピュータプログラム製品（すなわち、機械可読記憶デバイスにおいて有形に具現化される一又は複数のコンピュータプログラム）として、実装されうる。
【００４５】
［００４７］コンピュータプログラム（プログラム、ソフトウェア、ソフトウェアアプリケーション、又はコードとしても既知である）は、コンパイル型言語又はインタプリタ型言語を含む任意の形態のプログラミング言語で書かれてよく、かつ、任意の形態で（例えば、スタンドアロンプログラムとして、又はモジュール、コンポーネント、サブルーチン、若しくはコンピューティング環境での使用に適したその他のユニットとして）デプロイされうる。コンピュータプログラムは、必ずしもファイルに対応するわけではない。プログラムは、他のプログラム又はデータを保持するファイルの一部分に、当該プログラム専用の単一のファイルに、又は複数の協調ファイル（例えば、一又は複数のモジュール、サブプログラム、又はコード部分を記憶するファイル）に、記憶されうる。コンピュータプログラムは、一ケ所にある１つの若しくは複数のコンピュータで、又は、複数ケ所に分散されかつ通信ネットワークによって相互接続された複数のコンピュータで、実行されるようデプロイされうる。
【００４６】
［００４８］この明細書に記載のプロセス及びロジックフローは、一又は複数のプログラマブルプロセッサによって実施されてよく、一又は複数のプログラマブルプロセッサは、入力データで動作しかつ出力を生成することによって機能を実施するよう、一又は複数のコンピュータプログラムを実行する。プロセス及びロジックフローは、ＦＰＧＡ（フィールドプログラマブルゲートアレイ）又はＡＳＩＣ（特定用途向け集積回路）といった特殊用途のロジック回路によって実施されてもよく、装置が、かかる特殊用途のロジック回路として実装されることも可能である。
【００４７】
［００４９］「データ処理装置（ｄａｔａ  ｐｒｏｃｅｓｓｉｎｇ  ａｐｐａｒａｔｕｓ）」という語は、例としてはプログラマブルプロセッサ、コンピュータ、又は複数のプロセッサ若しくはコンピュータを含む、データを処理するための全ての装置、デバイス、及び機械を包含する。この装置は、ハードウェアに加えて、当該コンピュータプログラムのための実行環境を創出するコード（例えば、プロセッサファームウェア、プロトコルスタック、データベース管理システム、オペレーティングシステム、又はこれらのうちの一又は複数の組み合わせを構成するコード）を含みうる。コンピュータプログラムの実行に適したプロセッサは、例としては、汎用と特殊用途の両方のマイクロプロセッサ、及び任意の種類のデジタルコンピュータの任意の一又は複数のプロセッサを含む。
【００４８】
［００５０］コンピュータプログラム命令及びデータを記憶するのに適したコンピュータ可読媒体は、全ての形態の不揮発性のメモリ、媒体、及びメモリデバイスを含む。かかるメモリ、媒体、及びメモリデバイスは、例としては、半導体メモリデバイス（ＥＰＲＯＭ、ＥＥＰＲＯＭ、及びフラッシュメモリデバイスなど）、磁気ディスク（内蔵ハードディスク又は着脱可能ディスクなど）、光磁気ディスク、並びにＣＤ  ＲＯＭディスク及びＤＶＤ−ＲＯＭディスクを含む。プロセッサ及びメモリは、特殊用途ロジック回路によって補完されうるか、又は特殊用途ロジック回路に組み込まれうる。
【００４９】
［００５１］上述した研磨装置及び研磨方法は、多種多様な研磨システムに適用されうる。研磨パッドとキャリアヘッドのいずれか又は両方が動いて、研磨面とウエハとの間に相対運動をもたらしうる。例えば、プラテンは、回転するのではなく軌道周回する（ｏｒｂｉｔ）こともある。研磨パッドは、プラテンに固定された円形（又は他の何らかの形状）のパッドでありうる。終点検出システムの態様の一部は、直線研磨システム（例えば、研磨パッドが直線的に動く連続ベルト又はリールツーリールベルトである場合）にも適用可能でありうる。研磨層は、標準的な（例えば、充填剤を伴う又は伴わないポリウレタンの）研磨材料、軟性材料、又は固定砥粒材料でありうる。相対的な位置付けについての語が使用されているが、研磨面及びウエハは、垂直配向又は他の何らかの配向で保持されうると、理解すべきである。
【００５０】
［００５２］この明細書は多くの具体的事項を内包しているが、これらは、特許請求されうるものの範囲に対する制限としてではなく、むしろ、特定の発明の特定の実施形態に特有でありうる特徴の説明として、解釈されるべきである。一部の実行形態では、方法は、上にある材料と下にある材料との別の組み合せ、及び、別の種類のインシトゥモニタリングシステム（例えば光学的モニタリングシステム又は渦電流モニタリングシステム）からの信号にも、適用されうる。
【図１】
2021517073.tif 000003
【図２】
2021517073.tif 000004
【図３】
2021517073.tif 000005
【国際調査報告】
2021517073.tif 000006
2021517073.tif 000007
2021517073.tif 000008